(57)【要約】【課題】過去に撮影した場所と現在地との位置関係を容易に把握できるようにする。【解決手段】ＧＰＳセンサ１２と表示画面１４ａとを備えた撮影装置１であって、撮影画像１１ａとその撮影画像の撮影の際に検出された位置１１ｂとを関連付けて記憶する画像情報記憶部１１と、撮影画像の選択を受け付ける入力受付部１５と、選択受付の際に検出された位置と、選択された撮影画像に関連付けられた位置との距離を算出する相対距離算出部１０ａと、選択された撮影画像に関連付けられた位置の選択受付の際に検出された位置に対する方位を算出する相対方向算出部１０ｅと、算出された距離を示す情報と方位を示す情報とを表示画面１４ａに表示する表示制御部１４とを備える。【選択図】図１
2009124254.tif 000002
【特許請求の範囲】
【請求項１】
位置検出手段と表示手段とを備えた撮影装置であって、
撮影画像とその撮影画像の撮影の際に検出された位置とを関連付けて記憶する記憶手段と、
前記撮影画像の選択を受け付ける選択受付手段と、
前記選択受付の際に検出された位置と、前記選択された撮影画像に関連付けられた位置との距離を算出する距離算出手段と、
前記選択された撮影画像に関連付けられた位置の、前記選択受付の際に検出された位置に対する方位を算出する方位算出手段と、
算出された距離を示す情報と方位を示す情報とを前記表示手段に表示する表示制御手段と、を備えたことを特徴とする撮影装置。
【請求項２】
請求項１に記載の撮影装置であって、
自装置の向きを検出する方位検出手段と、
前記算出された方位を、前記選択受付の際に検出された方位に対する相対方向に変換する相対方向算出手段とをさらに備え、
前記表示制御手段は、前記方位を示す情報に代え、前記相対方向を示す情報を前記表示手段に表示することを特徴とする撮影装置。
【請求項３】
請求項１に記載の撮影装置であって、
前記選択受付手段は、複数の前記撮影画像の選択を受付可能であり、
前記距離算出手段は、選択されたそれぞれの撮影画像について距離を算出し、
前記方位算出手段は、選択されたそれぞれの撮影画像について方位を算出し、
前記表示制御手段は、選択されたそれぞれの撮影画像について算出された距離を示す情報と方位を示す情報とを前記表示手段に表示することを特徴とする撮影装置。
【請求項４】
位置検出手段と表示手段とを備えた撮影装置であって、
撮影画像とその撮影画像の撮影の際に検出された位置とを関連付けて記憶する記憶手段と、
前記撮影画像の選択を受け付ける選択受付手段と、
前記選択受付時に検出された位置と、前記選択された撮影画像に関連付けられた位置とを含む地図データを取得する地図データ取得手段と、
前記取得した地図データと、前記選択受付時に検出された位置と、前記選択された撮影画像に関連付けられた位置とに基づく地図情報を作成する地図情報作成手段と、
作成した地図情報を前記表示手段に表示する表示制御手段と、を備えたことを特徴とする撮影装置。
【請求項５】
請求項４に記載の撮影装置であって、
自装置の向きを検出する方位検出手段をさらに備え、
前記地図情報作成手段は、前記選択受付時に検出された方位に基づいて地図情報の表示向きを変更することを特徴とする撮影装置。
【請求項６】
請求項１〜５のいずれか１項に記載の撮影装置であって、
前記撮影画像と撮影の際に検出された位置との関連付けは、利用者からの指示に基づいて行なうことを特徴とする撮影装置。
【請求項７】
請求項１〜６のいずれか１項に記載の撮影装置であって、
前記選択受付手段は、前記撮影画像が撮影の際に検出された位置が関連付けられていることを示す態様で、前記撮影画像に基づく情報を選択可能な状態で表示することを特徴とする撮影装置。
【請求項８】
請求項１〜７のいずれか１項に記載の撮影装置であって、
前記選択受付手段は、利用者からの指示に基づいて、撮影の際に検出された位置が関連付けられている撮影画像を抽出して選択可能な状態で表示することを特徴とする撮影装置。
【発明の詳細な説明】
【技術分野】
【０００１】
本発明は、撮影装置に係り、特に、過去に撮影した場所と現在地との位置関係を容易に把握できる撮影装置に関する。
【背景技術】
【０００２】
特許文献１には、デジタルカメラで撮影した撮影画像データをその撮影場所を示す位置情報と対応付けて外部装置に出力し、外部装置において地図画像と合成表示することにより撮影画像がどこで撮影されたものかを容易に確認できるようにすることが記載されている。
【特許文献１】特開平９−１３９９０６号公報（特に第２実施形態）
【発明の開示】
【発明が解決しようとする課題】
【０００３】
しかしながら、特許文献１に記載されたデジタルカメラは、カーナビゲーションシステムの車載端末装置に一体的に組み込んだ構成で、さらにワードプロセッサ装置等の外部装置を必要とするものであり、主として撮影地から帰宅してからの撮影画像データの整理を目的としたものである。
【０００４】
このため、旅行先において役立つ機能の開発が望まれている。特に、旅行先において出発時や往路で撮影した撮影画像を参照することで現在地との位置関係を知ることができれば、集合場所や帰路を把握できて便利である。
【０００５】
本発明はこのような状況を鑑みてなされたものであり、過去に撮影した場所と現在地との位置関係を容易に把握できる撮影装置を提供することを目的とする。
【課題を解決するための手段】
【０００６】
上記課題を解決するため、本発明に係る撮影装置の第１の態様は、位置検出手段と表示手段とを備えた撮影装置であって、撮影画像とその撮影画像の撮影の際に検出された位置とを関連付けて記憶する記憶手段と、前記撮影画像の選択を受け付ける選択受付手段と、前記選択受付の際に検出された位置と、前記選択された撮影画像に関連付けられた位置との距離を算出する距離算出手段と、前記選択された撮影画像に関連付けられた位置の、前記選択受付の際に検出された位置に対する方位を算出する方位算出手段と、算出された距離を示す情報と方位を示す情報とを前記表示手段に表示する表示制御手段と、を備える。
【０００７】
本発明によれば、選択された撮影画像に関連付けられた位置、すなわち、過去に撮影した場所の、撮影画像の選択受付の際に検出された位置、すなわち現在地に対する距離と方位とを算出して表示するため、過去に撮影した場所と現在地との位置関係を容易に把握できるようになる。
【０００８】
ここで、自装置の向きを検出する方位検出手段と、前記算出された方位を、前記選択受付の際に検出された方位に対する相対方向に変換する相対方向算出手段とをさらに備え、前記表示制御手段は、前記方位を示す情報に代え、前記相対方向を示す情報を前記表示手段に表示するようにしてもよい。
【０００９】
このようにすることで、撮影装置の向きを基準に過去に撮影した場所と現在地との位置関係を容易に把握できるようになる。
【００１０】
また、前記選択受付手段は、複数の前記撮影画像の選択を受付可能であり、前記距離算出手段は、選択されたそれぞれの撮影画像について距離を算出し、前記方位算出手段は、選択されたそれぞれの撮影画像について方位を算出し、前記表示制御手段は、選択されたそれぞれの撮影画像について算出された距離を示す情報と方位を示す情報とを前記表示手段に表示するようにしてもよい。
【００１１】
上記課題を解決するため、本発明に係る撮影装置の第２の態様は、位置検出手段と表示手段とを備えた撮影装置であって、撮影画像とその撮影画像の撮影の際に検出された位置とを関連付けて記憶する記憶手段と、前記撮影画像の選択を受け付ける選択受付手段と、前記選択受付時に検出された位置と、前記選択された撮影画像に関連付けられた位置とを含む地図データを取得する地図データ取得手段と、前記取得した地図データと、前記前記選択受付時に検出された位置と、前記選択された撮影画像に関連付けられた位置とに基づく地図情報を作成する地図情報作成手段と、作成した地図情報を前記表示手段に表示する表示制御手段と、を備える。
【００１２】
本発明によれば、選択された撮影画像に関連付けられた位置、すなわち、過去に撮影した場所と、撮影画像の選択受付の際に検出された位置、すなわち現在地と、地図データに基づく地図情報を表示するため、過去に撮影した場所と現在地との位置関係を容易に把握できるようになる。
【００１３】
ここで、自装置の向きを検出する方位検出手段をさらに備え、前記地図情報作成手段は、前記選択受付時に検出された方位に基づいて地図情報の表示向きを変更するようにしてもよい。
【００１４】
このようにすることで、撮影装置の向きを基準に過去に撮影した場所と現在地との位置関係を容易に把握できるようになる。
【００１５】
いずれの態様であっても、前記撮影画像と撮影の際に検出された位置との関連付けは、利用者からの指示に基づいて行なうことができる。
【００１６】
また、前記選択受付手段は、前記撮影画像が撮影の際に検出された位置が関連付けられていることを示す態様で、前記撮影画像に基づく情報を選択可能な状態で表示することが望ましい。
【００１７】
さらに、前記選択受付手段は、利用者からの指示に基づいて、撮影の際に検出された位置が関連付けられている撮影画像を抽出して選択可能な状態で表示することが望ましい。
【発明を実施するための最良の形態】
【００１８】
本発明の実施の形態について図面を参照して詳細に説明する。
【００１９】
＜第１の実施形態＞
まず、第１の実施形態について説明する。第１の実施形態は、撮影装置内に地図情報を格納しない方式である。このため簡易な構成で実現でき、コストアップを避けることができる。
【００２０】
図１は、本発明を実施するための第１の実施形態である撮影装置１の構成を示すブロック図である。図１に示すように、撮影装置１は、制御部１０と、この制御部１０に接続された画像情報記憶部１１、ＧＰＳセンサ１２、方位センサ１３、表示画面１４ａを備えた表示制御部１４、入力受付部１５、および撮影部１６を備えている。
【００２１】
制御部１０は、ＣＰＵ、メモリ等を備えて構成され、メモリに記録されたプログラムを実行することで、相対距離算出部１０ａ、相対距離出力部１０ｂ、方位検出部１０ｄ、相対方向算出部１０ｅ、相対方向出力部１０ｆ、撮影地情報出力部１０ｇ、相対距離算出呼出部１０ｈ、相対方向算出呼出部１０ｉ、方位検出呼出部１０ｊを仮想的に構成し、現在地と撮影地の相対距離計算や相対方向計算等の本実施形態の特徴的な各種処理を行なう。また、特に説明しないが、制御部１０は撮影処理、画像処理、表示処理等の撮影装置本来の処理の制御も行なう。
【００２２】
画像情報記憶部１１は、メモリ、ＨＤＤ、ＳＤカード等の着脱可能あるいは内蔵式の不揮発性記憶媒体であり、静止画像データや動画像データ等の画像データ１１ａを記憶するとともに、必要に応じて画像データ１１ａの撮影地情報１１ｂを画像データ１１ａに関連付けて記憶する。また、画像情報記憶部１１は、制御部１０が処理を実行する上で必要なその他の情報を記憶する。撮影地情報１１ｂは、静止画像データに対して適用されるＥｘｉｆ（Exchangeable image file format）情報などに含めて記憶したり、画像データ１１ａとは別個に記憶したりすることができる。
【００２３】
例えば、Ｅｘｉｆで規定されるＧＰＳＬａｔｉｔｕｄｅＲｅｆに緯度の北緯もしくは南緯を記録し、ＧＰＳＬｏｎｇｉｔｕｄｅＲｅｆに経度の東経もしくは西経を記録し、ＧＰＳＬａｔｉｔｕｄｅに緯度を度、分、秒で記録し、ＧＰＳＬｏｎｇｉｔｕｄｅに経度を度、分、秒で記録することで画像データ１１ａと撮影地情報１１ｂとを関連付けることが可能となる。
【００２４】
ＧＰＳセンサ１２は、ＧＰＳ衛星が出力する現在地を検出するためのＧＰＳ信号を受信し、受信したＧＰＳ信号に基づいて、現在地を示す位置情報を生成し、生成した現在地情報を制御部１０へ出力する。位置情報は、例えば、経緯度情報とすることができる。
【００２５】
方位センサ１３は、例えば、３軸方位センサと３軸加速度センサとから構成される。３軸方位センサは、地磁気を検出して水平方向３６０°の方位を検知し、検知した方位信号を出力する。３軸加速度センサは、重力方向、すなわち垂直方向を検知し、検知した垂直信号を出力する。すなわち、自装置の姿勢に関わらず、自装置の方位を得ることができる。
【００２６】
表示制御部１４は、液晶パネル等の表示画面１４ａを備え、撮影部１６から取り込まれる画像や、画像情報記憶部１１にある画像を表示するとともに、相対距離出力部１０ｂ、相対方向出力部１０ｆ、および撮影地情報出力部１０ｇから出力される情報に基づいて、撮影地に関する各種情報を表示する。
【００２７】
入力受付部１５は、各種ボタン等を備え、撮影の開始や、画像の選択、撮影地検索の開始などの指示情報をユーザから受け付けて制御部１０へ通知する。表示画面１４ａを利用したタッチパネル方式を用いてもよい。本実施形態において入力受付部１５が備える各種ボタンには、撮影の際に撮影位置を記録する指示を利用者から受け付けるための位置記録指示ボタン１５ａが含まれる。ただし、専用の位置記録指示ボタン１５ａを設けずに、メニュー操作、ボタンの複数操作等によって位置記録指示を利用者から受け付けるようにしてもよい。また、位置記録指示を受け付けることなく、すべての撮影において撮影位置記録を行なうようにしてもよい。
【００２８】
撮影部１６は、レンズ、受光素子、読取回路等を備え、撮影レンズを介して受光した画像をデジタル信号へ変換し、表示制御部１４の表示画面１４ａに表示したり、画像情報記憶部１１に記録したりする。撮影部１６が扱う画像データは、静止画像であっても動画像であってもよい。
【００２９】
次に、制御部１０の各機能部について説明する。相対距離算出部１０ａは、ＧＰＳセンサ１２から得られる現在地の位置情報と、画像情報記憶部１１から得られる画像データ１１ａの撮影地の位置情報とから、現在地と撮影地との相対距離を算出する。相対距離出力部１０ｂは、算出された相対距離に基づいて表示制御部１４への表示を制御する。方位検出部１０ｄは、方位センサ１３からの出力に基づいて自装置の方位を算出する。相対方向算出部１０ｅは、ＧＰＳセンサ１２から得られる現在地の位置情報と、画像情報記憶部１１から得られる撮影地の位置情報とから、所定の方角、例えば、真北を軸とする現在地から撮影地への相対方位を算出し、相対方位と自装置の方位との差分を算出することで、自装置を基準とした撮影地の相対方向を決定する。相対方向出力部１０ｆは、前記算出された相対方向の情報に基づいて、表示制御部１４への制御を実行する。撮影地情報出力部１０ｇは、画像情報記憶部１１に記録された画像データ１１ａに撮影地情報１１ｂが関連付けられているか否かを判定し、関連付けられている場合には撮影地情報を画像データ１１ａに合成し、表示制御部１４の表示装置に表示する。
【００３０】
相対距離算出呼出部１０ｈは、入力受付部１５が撮影地検索の開始指示を利用者から受け付けた否かを判定し、受け付けた場合に相対距離算出部１０ａを呼び出す。相対方向算出呼出部１０ｉは、入力受付部１５が撮影地検索の開始指示を利用者から受け付けたか否かを判定し、受け付けた場合に相対方向算出部１０ｃを呼び出す。方位検出呼出部１０ｊは、入力受付部１５が撮影地検索の開始指示を利用者から受け付けたか否かを判定し、受け付けた場合に方位検出部１０ｄを呼び出す。
【００３１】
次に、第１の実施形態である上記構成の撮影装置１における処理手順について説明する。本実施形態において、利用者は、後に目印となるような場所、物等を記録したい場合に、位置記録指示ボタン１５ａを操作してから通常の撮影を行なうことで、撮影位置の記録を行なうことができる。撮影装置１では、位置記録を指示するための専用の位置記録指示ボタン１５ａを設けることで、複雑な操作を行なうことなく、目印となる場所等の記録を行なうことができるようになる。
【００３２】
後に目印となるような場所等を記録したい場合は、例えば、以下のような状況が考えられる。すなわち、観光バスでの旅行の際の自由行動等で観光バスが集合場所となっている場合である。このようなときは目印として観光バスを撮影すればよい。また、ある駅を拠点に行動し、再び駅に戻ってくる予定のあるときである。このようなときは目印として駅を撮影すればよい。さらには、旅行の往路に観光場所や土産物店等の目星を付けておいて往路に寄る計画を立てた場合である。このようなときは目印としてそれぞれの観光場所や土産物店等を撮影すればよい。
【００３３】
撮影位置の記録を行なうときの撮影装置１の処理について図２のフローチャートを参照して説明する。撮影装置１は、位置記録指示ボタン１５ａにより位置記録の指示を受け付けてから（Ｓ１０１）、撮影指示を受け付けると（Ｓ１０２）、撮影指示に係る画像データを生成するとともに（Ｓ１０３）、ＧＰＳセンサ１２を利用して位置情報を取得する（Ｓ１０４）。なお、位置情報は、ＧＰＳセンサ１２を利用しなくとも、無線通信による位置検出方法や携帯電話等による基地局からの情報を利用した検出方法であってもよい。
【００３４】
位置情報を取得すると、撮影地情報１１ｂとして画像データ１１ａと関連付けて（Ｓ１０５）、画像情報記憶部１１に記録する（Ｓ１０６）。なお、通信状況等により位置情報を取得できない場合には、撮影地情報１１ｂと関連づけることなく画像データ１１ａを画像情報記憶部１１に記録する。また、位置記録指示ボタン１５ａによる位置記録の指示を受けずに撮影指示を受け付けた場合は従来同様の通常の撮影処理を行なう。
【００３５】
利用者は、後に目印として記録した場所の方向等を知りたい場合には、目印を撮影した画像データ１１ａを選択する。利用者は、目印を撮影した画像データ１１ａを検索するために、メニュー操作等により画像情報記憶部１１に記録されている画像データ１１ａの一覧を表示させることができる。画像データ１１ａの一覧表示は、例えば、表示制御部１４の表示装置に画像データ１１ａをサムネイル形式で所定枚数ずつ表示することで行なう。ただし、画像一覧表示の態様は、サムネイル形式に限られない。例えば、ファイル名、撮影日時等の文字列情報であってもよい。
【００３６】
利用者から画像一覧表示指示を受け付けたときの撮影装置１の処理について図３のフローチャートを参照して説明する。撮影装置１は、利用者から画像一覧表示指示を受け付けると（Ｓ２０１）、表示装置に所定枚数（例えば、４枚）の画像が表示されるか、画像情報記憶部１１に記録されている全画像データ１１ａに対する一覧表示を行なうまで以下の処理を繰り返す（Ｓ２０２）。すなわち、対象となっている画像データ１１ａを参照して（Ｓ２０３）、撮影地情報１１ｂが関連付けられているかどうかを判断する（Ｓ２０４）。
【００３７】
撮影地情報が関連付けられている場合（Ｓ２０４：Ｙｅｓ）には、撮影地情報を取得するとともに（Ｓ２０５）、関連付けられている画像データ１１ａのサムネイル画像に、撮影地の情報が関連付けられていることを示すマーク画像を合成する（Ｓ２０６）。このマークは例えば、「ＧＰＳ」をデザイン化したシンボル画像とすることができる。そして、マーク付のサムネイル画像を表示する（Ｓ２０７）。
【００３８】
一方、撮影地情報が関連付けられていない場合（Ｓ２０４：Ｎｏ）には、マーク画像は合成せずに、通常のサムネイル画像を表示する（Ｓ２０７）。
【００３９】
例えば、図５に示すように表示画面１４ａに観光バス２２が写っている画像データ１１ａに撮影地情報１１ｂが関連付けられている場合には、図６に示すように、表示制御部１４の表示画面１４ａには、撮影地の情報が関連付けられていることを示すマーク画像２５が合成された観光バス２２の写真がサムネイル画像３１として表示される。撮影地情報１１ｂが関連付けられていない他の画像データ１１ａは、マーク画像２５のない通常のサムネイル画像が表示される。
【００４０】
ただし、画像データに撮影地の情報が関連付けられていることを示すための方法は、マークの合成に限られない。例えば、サムネイル表示枠の色を変える、サムネイル表示の下に何らかの文字情報を表示する、画像データを示す文字列の色を変化させる、あるいは撮影地の情報が関連付けられている画像情報だけを表示するようにする、など多くの方法が考えられる。特に、目印を記録した画像データ１１ａの検索を容易にするために、利用者からの指示に基づいて撮影地情報１１ｂが付加されている画像データ１１ａのみを表示できるようにすることが望ましい。
【００４１】
表示制御部１４の表示画面１４ａにサムネイル画像が表示された状態で、利用者は撮影地、例えば集合場所である観光バス２２の位置を把握したい場合には、マーク２５が合成された観光バス２２のサムネイル画像３１を選択することができる。
【００４２】
撮影地の情報が関連付けられている画像が選択されたときの撮影装置１の処理について図４のフローチャートを参照して説明する。撮影装置１は、撮影地の情報が関連付けられていることを示すマークが合成されたサムネイル画像の選択を受け付けると（Ｓ３０１）、ＧＰＳセンサ１２を利用して、利用者の現在地を示す位置情報を取得する（Ｓ３０２）。なお、位置情報は、ＧＰＳセンサ１２を利用しなくとも、無線通信による位置検出方法や携帯電話等による基地局からの情報を利用した検出方法であってもよい。
【００４３】
位置情報を取得すると、撮影地と現在地との相対距離を算出する（Ｓ３０３）。この計算の一例について図９（ａ）を参照して説明する。位置情報が経緯度で表わされているとすると、経緯度値をＵＴＭ（ユニバーサル横メルカトル）座標へ変換し、利用者の現在地８１の情報（ｘ１、ｙ１）と前記撮影地８２の情報（ｘ２、ｙ２）とから相対距離Ｎを計算する。２地点間の平面直交座標９０が現在地８１と撮影地８２の場合は、［数１］によって計算できる。
【数１】
2009124254.tif 000003
次に、利用者の現在地の情報（ｘ１、ｙ１）と撮影地の情報（ｘ２、ｙ２）とから、例えば、真北方向を軸とした相対方位ｔ１を計算する（Ｓ３０４）。図９（ｂ）に示すように２地点間の平面直交座標９１が現在地８１（ｘ１、ｙ１）と撮影地８２（ｘ２、ｙ２）の場合は、［数２］によって計算できる。
【数２】
2009124254.tif 000004
また、方位センサ１３を利用して自装置の向きを示す基準方位ｔ２を取得し（Ｓ３０５）、取得した基準方位ｔ２と算出した相対方位ｔ１とから相対方向Ｔを計算する（Ｓ３０６）。このとき、表示画面１４ａが利用者に閲覧されている状態の撮影装置１の向きを基準とする。図９（ｃ）に示すように２地点間の平面直交座標９２が現在地８１と撮影地８２の場合は、（式３）によって計算できる。
【数３】
2009124254.tif 000005
Ｔが負の場合、Ｔは左方向の角度を示し、正の場合は、Ｔは右方向の角度を示す。なお、基準方位ｔ２は一般に磁北を示すため、真北との差異を考慮して基準方向ｔ２を設定してもよい。
【００４４】
撮影装置１は、算出された相対距離と相対方向とを表示制御部１４の表示画面１４ａに表示させる。表示方法は種々の態様を用いることができるが、例えば、図７に示すような表示を行なうことができる。すなわち、撮影地の情報が関連付けられている観光バス２２が写っている画像４０ａと、相対距離および相対方向が表示された画像４０ｂとを重畳して表示画面１４ａに表示する。ここで、相対距離および相対方向が表示された画像４０ｂは、例えば、算出された相対距離Ｎと相対方向Ｔとから現在地３２と撮影地３３との位置関係を視覚的に示すために、相対距離Ｎ（図７の例では１００ｍ）を表す文字情報４４と、自装置の向きを基準とした撮影地３３の相対方向Ｔ（図７の例では左後ろ方向）を示す画像情報とを含めることができる。
【００４５】
また、相対距離および相対方向が表示された画像４０ｂに重畳する映像を、撮影部１６から取り込んだ実写画像５０ａにしてもよい。さらに、図８に示すように、利用者によって選択された画像４０ａと実写画像５０ａと相対位置画像４０ｂとを重畳させた合成画像を表示画面１４ａに表示するようにしてもよい。
【００４６】
このような表示を行なうことにより、利用者は、表示画面１４ａに表示された画面を見ることで、現在地から撮影地への方向と距離とを直感的に判断することが可能となる。なお、相対方向を算出せずに、相対距離と、撮影地の現在地に対する方位を表示するようにしてもよい。この場合でも現在地から撮影地への方向と距離とを直感的に判断することが可能である。
【００４７】
また、撮影地の情報が関連付けられている画像データ１１ａが複数ある場合に、利用者から複数枚の画像の選択を受け付けることができるようにしてもよい。この場合、それぞれの画像データ１１ａごとに、現在地と撮影地との相対距離と相対方向とを算出し、現在地３２を中心とした画像内に、自装置の向きを基準とした各撮影地３３の相対距離と相対方向とが視覚的に把握できる画像３５を作成することができる。図１０の例では、装置の向きを基準に約４００ｍ右やや後方向に撮影地３３ａが存在し、３００ｍ左後方向に撮影地３３ｂが存在し、約１００ｍ右前方向に撮影地３３ｃが存在し、約３００ｍ左前方向に撮影地３３ｄが存在していることが示されている。ここで、例えば、撮影地３３ｂを選択すると、撮影地３３ｂに対応する画像６０が表示され、相対距離の文字情報４４が表示されるようにすることができる。なお、ある画像が選択を受け付けたとき、選択された画像の撮影地の方向あるいは近傍に存在する撮影地の画像データ１１ａを所定の基準により自動検出して、検出された１または複数の画像の撮影地３３を画像３５のように表示するようにしてもよい。このようにすることで、選択された画像の撮影地３３へ戻る途中で他の画像の撮影地３３に寄るときに便利になる。
【００４８】
＜第２の実施形態＞
つぎに、第２の実施形態について説明する。第２の実施形態は、撮影装置内に地図情報を格納する方式である。これにより、目印を撮影した場所と現在地とを地図上に示すことができるため、利用者にさらにわかりやすい情報を提供することができる。なお、以下の説明において第１の実施例と同じ部位については同じ符号を付し、説明は簡略化する。
【００４９】
図１１は、本発明を実施するための第２の実施形態である撮影装置１００の構成を示したブロック図である。図１１に示すように、撮影装置１００は、制御部１１０と、この制御部１１０に接続された情報記憶部１１１、ＧＰＳセンサ１２、方位センサ１３、表示画面１４ａを備えた表示制御部１４、入力受付部１５、および撮影部１６を備えている。
【００５０】
制御部１１０は、ＣＰＵ、メモリ等を備えて構成され、メモリに記録されたプログラムを実行することで、方位検出部１０ｄ、撮影地情報出力部１０ｇ、方位検出呼出部１０ｊ、位置検出呼出部１０ｓ、位置検出部１０ｔ、地図情報生成呼出部１０ｕ、地図生成部１０ｖ、位置情報付加部１０ｗ、地図情報出力部１０ｘを仮想的に構成し、現在地と撮影地とを示す情報が付加された地図情報作成等の本実施形態の特徴的な各種処理を行なう。また、特に説明しないが、制御部１１０は撮影処理、画像処理、表示処理等の撮影装置本来の処理の制御も行なう。
【００５１】
情報記憶部１１１は、メモリ、ＨＤＤ、ＳＤカード等の着脱可能あるいは内蔵式の不揮発性記憶媒体であり、静止画像データや動画像データ等の画像データ１１ａを記憶するとともに、必要に応じて画像データ１１ａの撮影地情報１１ｂを画像データ１１ａに関連付けて記憶する。また、ナビゲータ装置等に用いられる地図データ１１ｃを記憶する。地図データ１１ｃは、あらかじめ記憶するようにしてもよいし、図示しない通信装置等を用いて、必要に応じて外部から取得するようにしてもよい。
【００５２】
次に、制御部１１０の本実施形態特有の機能部について説明する。位置検出部１０ｔは、ＧＰＳセンサ１２からの情報に基づいて自装置の位置を検出する。地図生成部１０ｖは、ＧＰＳセンサ１２から得られる現在地の位置と、画像情報記憶部１１から得られる撮影地の位置とを含む地図データ１１ｃを取得し、方位検出部１０ｄから得られる方位を基準とした方向の地図情報を作成する。位置情報付加部１０ｗは、地図生成部１０ｖが生成した地図情報に撮影地と現在地を示す情報を付加する。地図情報出力部１０ｘは、撮影地と現在地を示す情報が付加された地図情報を表示制御部１４に出力する。
【００５３】
位置検出呼出部１０ｓは、入力受付部１５が撮影地検索の開始指示を利用者から受け付けた否かを判定し、受け付けた場合に位置検出部１０ｔを呼び出す。地図情報生成呼出部１０ｕは、入力受付部１５が撮影地検索の開始指示を利用者から受け付けた否かを判定し、受け付けた場合に地図生成部１０ｖを呼び出す。
【００５４】
次に、第２の実施形態である上記構成の撮影装置１００における処理手順について説明する。撮影位置の記録を行なうときの撮影装置１００の処理および利用者から画像一覧表示指示を受け付けたときの撮影装置１００の処理については第１の実施例と同様である。このため説明を省略し、撮影地の情報が関連付けられている画像が選択されたときの撮影装置１００の処理について図１２のフローチャートを参照して説明する。
【００５５】
撮影装置１００は、撮影地の情報が関連付けられていることを示すマークが合成されたサムネイル画像の選択を受け付けると（Ｓ４０１）、ＧＰＳセンサ１２を利用して、利用者の現在地を示す位置情報を取得する（Ｓ４０２）。なお、位置情報は、ＧＰＳセンサ１２を利用しなくとも、無線通信による位置検出方法や携帯電話等による基地局からの情報を利用した検出方法であってもよい。
【００５６】
位置情報を取得すると、現在位置を中心として撮影地が含まれる範囲の地図データ１１ｃを情報記憶部１１１から取得する（Ｓ４０３）。また、方位センサ１３を利用して自装置の向きを検出する（Ｓ４０４）。そして、検出された自装置の向きがＹ軸方向となるように地図データ１１ｃの向きを調整し、表示用の地図情報を作成する（Ｓ４０５）。このとき、地図情報の対応する場所に現在地と撮影地とを示すシンボルマークを重畳させる。そして、現在地と撮影地のマークが重畳された地図情報を表示制御部１４に出力して表示画面１４ａに表示させる（Ｓ４０６）。ただし、向き調整処理を省いた構成としてもよい。
【００５７】
図１３、図１４は、撮影装置１００の向きと、地図情報の表示との関係を模式的に示す図である。なお、両図において図面上の方向は共通しているものとする。例えば、撮影装置１００が図１３（ａ）に示すような方向（図面上で上方向）に向けられていたとする。図１４（ａ）は、このときの地図情報の表示例を示す図である。すなわち、表示画面１４ａには、現在位置を示すマーク３２と撮影位置を示すマーク３３が地図上に表示される。この表示により、現在地３２にいる利用者は目印となる場所３３が右上方向にあり、左側の大きな道を右斜め上方向に進めばよいことを直感的に把握することができる。
【００５８】
一方、撮影装置１００が、図１３（ｂ）に示すような右方向に回転した方向に向けられていたとする。図１４（ｂ）は、このときの地図情報の表示例を示す図である。すなわち、表示画面１４ａには、地図情報が左方向に回転され、現在位置を示すマーク３２と撮影位置を示すマーク３３が地図上に表示される。この表示により、現在地３２にいる利用者は目印となる場所が左上方向にあり、左側の大きな道を左斜め上方向に進めばよいことを直感的に把握することができる。
【図面の簡単な説明】
【００５９】
【図１】第１の実施形態である撮影装置１の構成を示すブロック図である。
【図２】撮影位置の記録を行なうときの撮影装置１の処理について説明するフローチャートである。
【図３】利用者から画像一覧表示指示を受け付けたときの撮影装置１の処理について説明するフローチャートである。
【図４】撮影地の情報が関連付けられている画像が選択されたときの撮影装置１の処理について説明するフローチャートである。
【図５】観光バス２２が写っている画像データ１１ａを示す図である。
【図６】撮影地の情報が関連付けられていることを示すマーク画像２５が合成されたサムネイル画像３１を示す図である。
【図７】現在地と撮影地との相対距離と相対方向とが表示された画面の例である。
【図８】現在地と撮影地との相対距離と相対方向と、実写画像とが表示された画面の例である。
【図９】相対距離の算出、相対方位の算出、相対方向の算出を説明する図である。
【図１０】利用者から複数枚の画像の選択を受け付けた場合の表示例を示す図である。
【図１１】第２の実施形態である撮影装置１００の構成を示すブロック図である。
【図１２】撮影地の情報が関連付けられている画像が選択されたときの撮影装置１００の処理について説明するフローチャートである。
【図１３】撮影装置１００の向きと、地図情報の表示との関係を模式的に示す図である。
【図１４】撮影装置１００の向きと、地図情報の表示との関係を模式的に示す図である。
【符号の説明】
【００６０】
１…撮影装置、１０…制御部、１０ａ…相対距離算出部、１０ｂ…相対距離出力部、１０ｃ…相対方向算出部、１０ｄ…方位検出部、１０ｅ…相対方向算出部、１０ｅ…方位算出部、１０ｆ…相対方向出力部、１０ｇ…撮影地情報出力部、１０ｈ…相対距離算出呼出部、１０ｉ…相対方向算出呼出部、１０ｊ…方位検出呼出部、１０ｓ…位置検出呼出部、１０ｔ…位置検出部、１０ｕ…地図情報生成呼出部、１０ｖ…地図生成部、１０ｗ…位置情報付加部、１０ｘ…地図情報出力部、１１…画像情報記憶部、１１ａ…画像データ、１１ｂ…撮影地情報、１１ｃ…地図データ、１２…ＧＰＳセンサ、１３…方位センサ、１４…表示制御部、１４ａ…表示画面、１５…入力受付部、１５ａ…位置記録指示ボタン、１６…撮影部、１１０…制御部、１１１…情報記憶部
【図１】
2009124254.tif 000006
【図２】
2009124254.tif 000007
【図３】
2009124254.tif 000008
【図４】
2009124254.tif 000009
【図５】
2009124254.tif 000010
【図６】
2009124254.tif 000011
【図７】
2009124254.tif 000012
【図８】
2009124254.tif 000013
【図９】
2009124254.tif 000014
【図１０】
2009124254.tif 000015
【図１１】
2009124254.tif 000016
【図１２】
2009124254.tif 000017
【図１３】
2009124254.tif 000018
【図１４】
2009124254.tif 000019